(57)【要約】【課題】使用中に整流子が回転軸の方向に動くのを防止できる直流電動機の電機子を得る。【解決手段】回転軸３の外周の回転子鉄心に電機子巻線８を巻装する。回転軸３の長手方向に沿った回転子鉄心の両側部の回転軸３の外周に絶縁材よりなるサイドプレート９をそれぞれ嵌め合わせて電機子巻線８が回転軸３に接触しないようにする。一方のサイドプレート９側で、回転軸３の外周に整流子１６を嵌合してサイドプレート９の端部外周に嵌め合わせる。電機子巻線８を整流子１６に接続線１７で接続する。サイドプレート９の端部には、その外周の大径部９ａから縮径した小径部９ｂを突設した段差部９ｃを設ける。整流子１６はその内周にサイドプレート９の小径部９ｂを嵌め合わせた状態で大径部９ａの端面を突き合わせて位置決めする。【選択図】　図２
2004104874.tif 000002
【特許請求の範囲】
【請求項１】
回転軸の外周に回転子鉄心が固定され、前記回転子鉄心に電機子巻線が巻装され、前記回転軸の長手方向に沿った前記回転子鉄心の両側部の前記回転軸の外周に絶縁材よりなるサイドプレートがそれぞれ嵌め合わされて前記電機子巻線が前記回転軸に接触しないようになっており、一方の前記サイドプレート側で前記回転軸の外周に整流子が嵌合されて前記サイドプレートの端部外周に嵌め合わされ、前記電機子巻線が前記整流子に接続線で接続されている直流電動機の電機子において、
前記サイドプレートの端部にはその外周の大径部から縮径された小径部を突設した段差部が設けられ、前記整流子はその内周に前記サイドプレートの前記小径部を嵌め合わせた状態で該サイドプレートの前記大径部の端面を突き合わせて位置決めされていることを特徴とする直流電動機の電機子。
【発明の詳細な説明】
【０００１】
【発明の属する技術分野】
本発明は、直流電動機の電機子に関するものである。
【０００２】
【従来の技術】
従来のこの種の直流電動機の電機子を有する直流電動機として、図３及び図４に示すように減速機付き電動機がある（例えば、特許文献１参照）。
【０００３】
この減速機付き電動機では、直流電動機１は、環状のステータ２の中に、回転軸３付きのロータである電機子４が回転自在に配置されている。ステータ２は、筒状のステータヨーク５の内周に固定界磁として永久磁石６が固定されて構成されている。電機子４は、回転軸３の外周に固定された回転子鉄心７に電機子巻線８が巻装された構造になっている。回転軸３の長手方向に沿った回転子鉄心７の両側部の回転軸３の外周に絶縁材よりなるサイドプレート９がそれぞれ嵌め合わされて電機子巻線８が回転軸３に接触しないようになっている。ステータヨーク５の両端は、第１，第２のエンドカバー１０，１１で閉塞されている。回転軸３は、これら第１，第２のエンドカバー１０，１１の中央の軸受収容凹部１０ａ，１１ａに嵌合支持された第１，第２の軸受１２，１３により回転自在に支持されている。電機子４の電機子巻線８に対する給電は、ステータ２側に支持されたブラシホルダ１４を介して支持されたブラシ１５から回転軸３に支持された整流子１６を経て行われるようになっている。整流子１６は、絶縁筒体１６ａの外周に複数の整流子片１６ｂが支持された構造になっている。このような整流子１６は、一方のサイドプレート９側で絶縁筒体１６ａの内周端部の溝１６ａａに該サイドプレート９の端部を嵌合して位置決めされている。電機子巻線８と整流子１６の各整流子片１６ｂのタング１６ｂｔとは、接続線１７で接続されている。
【０００４】
電動機１の第１のエンドカバー１０は、減速機１８のギアケース１９を兼ねている。ギアケース１９は１対のケース半部１９ａ，１９ｂを組み合わせて構成されている。
【０００５】
減速機１８は、ギアケース１９と、回転軸３に刻設されている歯車２０及びこの歯車２０に噛み合って減速する歯車２１ａ〜２１ｇとを備えた減速歯車機構２１と、歯車２１ｇを支持していて減速された回転力を取り出す出力軸２２とで形成されている。
【０００６】
【特許文献１】
登録実用新案３０４３６４３号公報（図１、図４）
【０００７】
【発明が解決しようとする課題】
しかしながら、このような直流電動機の電機子４において整流子１６は、一方のサイドプレート９側で絶縁筒体１６ａの内周端部の溝１６ａａに該サイドプレート９の端部を嵌合して位置決めされているので、整流子１６の取り付け時に、図４に示すようにサイドプレート９の先端部と絶縁筒体１６ａの内周端部の溝１６ａａとの間に隙間２３ができ易く、この隙間２３が存在することが判り難く、このため使用中に整流子１６の軸方向の振動で該整流子１６が回転軸３の方向に動き、その結果、接続線１７の断線を招き易い問題点があった。
【０００８】
また、このような直流電動機の電機子４では、サイドプレート９の外径Ｄが細く、このためサイドプレート９の外周から整流子１６のタング１６ｂｔまでの距離が長くなって、接続線１７の長さも長くなり、該接続線１７の断線を招き易い問題点があった。
【０００９】
本発明の目的は、使用中に整流子が回転軸の方向に動くのを防止でき、且つサイドプレートの外周から整流子のタングまでの距離を短くすることができる直流電動機の電機子を提供することにある。
【００１０】
【課題を解決するための手段】
本発明は、回転軸の外周に回転子鉄心が固定され、回転子鉄心に電機子巻線が巻装され、回転軸の長手方向に沿った回転子鉄心の両側部の回転軸の外周に絶縁材よりなるサイドプレートがそれぞれ嵌め合わされて電機子巻線が回転軸に接触しないようになっており、一方のサイドプレート側で回転軸の外周に整流子が嵌合されてサイドプレートの端部外周に嵌め合わされ、電機子巻線が整流子に接続線で接続されている直流電動機の電機子を対象とする。
【００１１】
本発明に係る直流電動機の電機子では、サイドプレートの端部にはその外周の大径部から縮径された小径部を突設した段差部が設けられ、整流子はその内周にサイドプレートの小径部を嵌め合わせた状態で該サイドプレートの大径部の端面を突き合わせて位置決めされていることを特徴とする。
【００１２】
このようにサイドプレートの端部に、その外周の大径部から縮径した小径部を突設した段差部を設け、整流子をその内周にサイドプレートの小径部を嵌め合わせた状態で該サイドプレートの大径部の端面を突き合わせて位置決めすると、整流子は大径部の端面を越えて電機子鉄心側に移動できなくなり、使用中に整流子が回転軸の方向に動くのを防止でき、接続線の断線を防止することができる。また、整流子がサイドプレートの大径部の端面に当たっているか否かを目視でき、整流子の所定の位置に対する取り付けを確実に行うことができる。
【００１３】
また、サイドプレートの大径部の外周から整流子のタングまでの距離が短くなり、この面からも接続線の断線を防止することができる。
【００１４】
【発明の実施の形態】
図１及び図２は本発明に係る直流電動機の電機子における実施の形態の一例を示したもので、図１は本例の直流電動機の電機子の一部縦断側面図、図２は図１の要部拡大図である。なお、前述した図３及び図４と対応する部分には、同一符号を付けて示している。
【００１５】
本例の直流電動機の電機子では、サイドプレート９の端部には、その外周の大径部９ａから縮径された小径部９ｂを突設した段差部９ｃが設けられている。整流子１６は、その絶縁筒体１６ａの内周の溝１６ａａにサイドプレート９の小径部９ｂを嵌め合わせた状態で該サイドプレート９の大径部９ａの端面を突き合わせて位置決めされている。その他の構成は、図３及び図４と同様になっている。
【００１６】
このようにサイドプレート９の端部に、その外周の大径部９ａから縮径した小径部９ｂを突設した段差部９ｃを設け、整流子１６をその絶縁筒体１６ａの内周の溝１６ａａにサイドプレート９の小径部９ｂを嵌め合わせた状態で該サイドプレート９の大径部９ａの端面を突き合わせて位置決めすると、整流子１６はサイドプレート９の大径部９ａの端面を越えて電機子鉄心７側に移動できなくなり、使用中に整流子１６が回転軸３の方向に動くのを防止でき、接続線１７の断線を防止することができる。また、整流子１６がサイドプレート９の大径部９ａの端面に当たっているか否かを目視でき、整流子１６の所定の位置に対する取り付けを確実に行うことができる。さらに、サイドプレート９の大径部９ａの外周から整流子１６のタング１６ｂｔまでの距離が短くなり、この面からも接続線１７の断線を防止することができる。
【００１７】
特に、サイドプレート９の小径部９ｂの外径が、従来のサイドプレート９の外径と等しくなっていると、大径部９ａの分だけサイドプレート９の外径が太くなり、サイドプレート９の大径部９ａの外周から整流子１６のタング１６ｂｔまでの距離を一層短くすることができ、サイドプレート９の大径部９ａの外周から整流子１６のタング１６ｂｔまでの距離を一層短くすることができる。
【００１８】
【発明の効果】
本発明に係る直流電動機の電機子では、サイドプレートの端部に、その外周の大径部から縮径した小径部を突設した段差部を設け、整流子をその内周の溝にサイドプレートの小径部を嵌め合わせた状態で該サイドプレートの大径部の端面を突き合わせて位置決めしているので、整流子はサイドプレートの大径部の端面を越えて電機子鉄心側に移動できなくなり、使用中に整流子が回転軸の方向に動くのを防止でき、接続線の断線を防止することができる。また、整流子がサイドプレートの大径部の端面に当たっているか否かを、目視等により容易に確認でき、整流子の所定の位置に対する取り付けを確実に行うことができる。さらに、サイドプレートの大径部の外周から整流子のタングまでの距離が短くなり、この面からも接続線の断線を防止することができる。
【図面の簡単な説明】
【図１】本発明に係る直流電動機の電機子における実施の形態の一例を示した一部縦断側面図である。
【図２】図１の要部拡大図である。
【図３】従来の減速機付き電動機の縦断面図である。
【図４】図３の要部拡大図である。
【符号の説明】
１　直流電動機
２　ステータ
３　回転軸
４　電機子
５　ステータヨーク
６　永久磁石
７　回転子鉄心
８　電機子巻線
９　サイドプレート
９ａ　大径部
９ｂ　小径部
９ｃ　段差部
１０，１１　エンドカバー
１０ａ，１１ａ　軸受収容凹部
１２，１３　軸受
１４　ブラシホルダ
１５　ブラシ
１６　整流子
１６ａ　絶縁筒体
１６ａａ　溝
１６ｂ　整流子片
１７　接続線
１８　減速機
【図１】
2004104874.tif 000003
【図２】
2004104874.tif 000004
【図３】
2004104874.tif 000005
【図４】
2004104874.tif 000006